(57)【要約】【課題】吊り下げて陳列する連結陳列形態での強度に優れ、簡単な作業でトレイを分離した分離陳列形態へと変換できる分離式吊下陳列具を低コストで提供する。【解決手段】複数個のトレイ１が連結部材２の前側に上下に配置して取り付けられる分離式吊下陳列具において、トレイ１の背壁１３に切取部１６を、側壁１２に差込穴１８をそれぞれ設け、連結部材２は、トレイ１の段数に応じて、背枠板２１の両側に側枠板２２を上下方向に延びるように連設し、背枠板２１に切開部２３を、側枠板２２に差込片２５をそれぞれ設けたものとする。連結陳列形態とするには、トレイ１を連結部材２の内面に沿わせ、切取部１６と切開部２３とを貼り合わせ、差込穴１８に差込片２５を差し込む。分離陳列形態とするには、切取部１６と切開部２３の切目線を切断して、トレイ１から切取部１６を除去し、差込穴１８から差込片２５を引き抜く。【選択図】図１
0003235218.tif 000002
【実用新案登録請求の範囲】
【請求項１】
複数個のトレイ(1)が連結部材(2)の前側に上下に配置して取り付けられ、上方から吊り下げて陳列される連結陳列形態と、前記連結部材(2)から取り外された前記トレイ(1)のみを設置して陳列される分離陳列形態とを選択可能な分離式吊下陳列具において、
前記トレイ(1)は、前壁(11)、対向する側壁(12)、背壁(13)及び底壁(15)を有し、前記背壁(13)には切取部(16)が設けられ、
前記連結部材(2)は、前記トレイ(1)の段数に応じて、背枠板(21)の両側に側枠板(22)が上下方向に延びるように連設され、前記側枠板(22)が前方へ折り曲げられて互いに対向する形状であり、前記背枠板(21)には切開部(23)が設けられ、
連結陳列形態とするには、前記トレイ(1)を前記連結部材(2)の内面に沿わせ、前記切取部(16)と前記切開部(23)とを貼り合わせると共に、前記トレイ(1)の両側部を前記連結部材(2)に係合させ、
分離陳列形態とするには、前記切取部(16)と前記切開部(23)の切目線を切断して、前記トレイ(1)から前記切取部(16)を除去し、前記トレイ(1)の両側部と前記連結部材(2)の係合を解除することを特徴とする分離式吊下陳列具。
【請求項２】
前記トレイ(1)の側壁(12)には差込穴(18)が、前記連結部材(2)の側枠板(22)には差込片(25)がそれぞれ設けられ、
前記差込穴(18)に前記差込片(25)を差し込んで、前記トレイ(1)の両側部を前記連結部材(2)に係合させることを特徴とする分離式吊下陳列具。
【請求項３】
前記トレイ(1)の差込穴(18)は、スリット状とされ、前記連結部材(2)の差込片(25)は、前記側枠板(22)の前端縁から突出し、
前記側枠板(22)を撓ませつつ、前記差込穴(18)に前記差込片(25)を差し込むことを特徴とする請求項２に記載の分離式吊下陳列具。
【請求項４】
前記トレイ(1)の背壁(13)は、前記切取部(16)を有する外背板(13a)と、前記切取部(16)を覆うように前記外背板(13a)の内側に重なる内背板(13b)とから成ることを特徴とする請求項１乃至３のいずれかに記載の分離式吊下陳列具。
【請求項５】
前記トレイ(1)の底壁(15)は、先端縁が凹状の底フラップ(15a)と、片側に斜辺を有する先窄まりの一対の底フラップ(15b)と、先端縁が凸状でその両側に斜辺を有する先窄まりの底フラップ(15c)とが噛み合わされて底面を閉塞する通称地獄底の形式であることを特徴とする請求項１乃至４のいずれかに記載の分離式吊下陳列具。
【考案の詳細な説明】
【技術分野】
【０００１】
この考案は、複数個のトレイを上下に連結した状態で吊り下げる陳列形態と、各トレイが分離された状態で設置する陳列形態とを選択可能な分離式吊下陳列具に関する。
【背景技術】
【０００２】
図７に示すように、２個の板紙製トレイ５１を、合紙等の厚紙から成る平板状の連結部材５２の前側に上下に配置し、連結部材５２に形成したビス穴５３に、各トレイ５１の背面に突設したプラスチック製のビス５４を係合させることにより、トレイ５１を連結部材５２に取り付け、上方から吊紐５５及びフック５６を介し吊り下げて、トレイ５１に載せた商品を陳列する陳列具が知られている（下記特許文献１参照）。
【０００３】
このような陳列具では、図８に示すように、ビス穴５３からビス５４を抜いて、上下のトレイ５１を連結部材５２から分離した状態で、トレイ５１のみを設置して商品を陳列することも可能である。
【０００４】
また、図９に示すように、２個の板紙製トレイ６１を、同様の板紙から成る平板状の連結部材６２の前側に上下に配置した状態で接着し、連結部材６２には、上段側のトレイ６１の接着部と下段側のトレイ６１の接着部との間に、横方向に延びるジッパー型の切目線６３を入れておき、トレイ６１に載せた商品を陳列する際、上方から吊紐６４及びフック６５を介し吊り下げて陳列する形態と、切目線６３に沿って連結部材６２を切断することにより、各段のトレイ６１を分離して陳列する形態とを選択できるようにした陳列具も提案されている。
【先行技術文献】
【特許文献】
【０００５】
【特許文献１】特開２００４−２３６８８０号公報
【考案の概要】
【考案が解決しようとする課題】
【０００６】
しかしながら、図７及び図８に示すような陳列具では、連結部材５２として、トレイ５１の板紙より強度の大きな合紙等を用いる必要があり、ビス５４としてプラスチック製のものを使用することから、製造にコストがかかるほか、トレイ５１へのビス５４の取り付けに手間がかかるという問題がある。
【０００７】
また、図９に示すような陳列具では、連結部材６２の切目線６３の部分が脆弱であるため、図１０に示すように、トレイ６１の奥行が大きな仕様の場合、下段側のトレイ６１が前倒れして、連結部材６２が「く」の字状に折れ曲がってしまい、美粧性を損なう恐れがあるだけでなく、下段側のトレイ６１に載せた商品Ｇが落下する恐れもある。
【０００８】
そこで、この考案は、吊り下げて陳列する連結陳列形態での強度に優れ、簡単な作業でトレイを連結部材から分離した分離陳列形態へと変換できる分離式吊下陳列具を低コストで提供することを課題とする。
【課題を解決するための手段】
【０００９】
上記のような課題を解決するため、この考案は、複数個のトレイが連結部材の前側に上下に配置して取り付けられ、上方から吊り下げて陳列される連結陳列形態と、前記連結部材から取り外された前記トレイのみを設置して陳列される分離陳列形態とを選択可能な分離式吊下陳列具において、
前記トレイは、前壁、対向する側壁、背壁及び底壁を有し、前記背壁には切取部が設けられ、
前記連結部材は、前記トレイの段数に応じて、背枠板の両側に側枠板が上下方向に延びるように連設され、前記側枠板が前方へ折り曲げられて互いに対向する形状であり、前記背枠板には切開部が設けられ、
連結陳列形態とするには、前記トレイを前記連結部材の内面に沿わせ、前記切取部と前記切開部とを貼り合わせると共に、前記トレイの両側部を前記連結部材に係合させ、
分離陳列形態とするには、前記切取部と前記切開部の切目線を切断して、前記トレイから前記切取部を除去し、前記トレイの両側部と前記連結部材の係合を解除するものとしたのである。
【００１０】
また、前記トレイの側壁には差込穴が、前記連結部材の側枠板には差込片がそれぞれ設けられ、
前記差込穴に前記差込片を差し込んで、前記トレイの両側部を前記連結部材に係合させるものとしたのである。
【００１１】
また、この分離式吊下陳列具において、前記トレイの差込穴は、スリット状とされ、前記連結部材の差込片は、前記側枠板の前端縁から突出し、
前記側枠板を撓ませつつ、前記差込穴に前記差込片を差し込むものとしたのである。
【００１２】
また、前記トレイの背壁は、前記切取部を有する外背板と、前記切取部を覆うように前記外背板の内側に重なる内背板とから成るものとしたのである。
【００１３】
さらに、前記トレイの底壁は、先端縁が凹状の底フラップと、片側に斜辺を有する先窄まりの一対の底フラップと、先端縁が凸状でその両側に斜辺を有する先窄まりの底フラップとが噛み合わされて底面を閉塞する通称地獄底の形式であるものとしたのである。
【考案の効果】
【００１４】
この考案に係る分離式吊下陳列具では、連結部材が断面コ字状のチャンネル材のような構造となっているので、屈折強度が大きいものとなり、トレイの奥行が大きな仕様であっても、上方から吊り下げる連結陳列形態において、連結部材が屈折してトレイが前倒れすることがなく、安定した状態で美粧性に優れた陳列ができる。
【００１５】
また、連結部材にトレイより強度の大きな材料を使用する必要がなく、トレイを連結部材に取り付ける際、プラスチック製のビス等を使用しないので、製造コストを抑制することができる。
【００１６】
そして、トレイの切取部と連結部材の切開部の切目線を切断し、差込穴から差込片を引き抜くだけで、トレイと連結部材とを分離でき、店頭の売り場の状況に応じて、煩わしい作業を行うことなく、トレイのみを適宜設置して商品を陳列することができる。
【図面の簡単な説明】
【００１７】
【図１】この考案に係る分離式吊下陳列具の吊り下げによる連結陳列形態を（ａ）前方から示す斜視図、（ｂ）後方から示す斜視図
【図２】同上の吊り下げによる連結陳列形態を示す側面図
【図３】同上のトレイを連結部材から分離する過程を示す後方からの斜視図
【図４】同上のトレイのみを並べて設置した分離陳列形態を示す斜視図
【図５】同上のトレイを連結部材に取り付けた折畳状態を示す斜視図
【図６】同上の分離式吊下陳列具の構成部材のブランクを示す図
【図７】特許文献１に記載の陳列具のトレイを連結部材に取り付けた吊り下げによる陳列形態を示す斜視図
【図８】同上のトレイと連結部材とを分離した状態を示す斜視図
【図９】従来より提案されている分離式吊下陳列具の吊り下げによる連結陳列形態を示す斜視図
【図１０】同上の連結部材が屈折した状態を示す側面図
【考案を実施するための形態】
【００１８】
以下、この考案の実施形態を添付図面に基づいて説明する。
【００１９】
＜実施形態の概要＞
この分離式吊下陳列具は、図１に示すように、３個のトレイ１が連結部材２の前側に上下に配置して取り付けられ、上方から吊り下げて陳列される連結陳列形態と、図４に示すように、連結部材２から取り外されたトレイ１のみを設置して陳列される分離陳列形態とを選択できるものとなっている。
【００２０】
＜ブランク＞
この分離式吊下陳列具を構成するトレイ１、連結部材２及びＰＯＰパネル３は、図６に示すような板紙製のブランクから組み立てられる。
【００２１】
（トレイのブランク）
トレイ１のブランクでは、外前板１１ａの両側に側壁１２が連設され、一方の側壁１２の後端となる端辺には外背板１３ａが、他方の側壁１２の後端となる端辺には継代片１４がそれぞれ連設されている。外前板１１ａは、外背板１３ａよりも高さ方向の寸法が小さく、側壁１２の上辺には、前側が後側よりも低くなるように傾斜部が設けられている。
【００２２】
一方の側壁１２の下端には、先端縁が凹状の底フラップ１５ａが連設され、外前板１１ａ及び外背板１３ａの下端には、それぞれ片側に斜辺を有する先窄まりの底フラップ１５ｂが連設され、他方の側壁１２の下端には、先端縁が凸状でその両側に斜辺を有する先窄まりの底フラップ１５ｃが連設されている。
【００２３】
外前板１１ａの上端には内前板１１ｂ及び内底板１５ｄが順次連設され、外背板１３ａの上端には内背板１３ｂが連設されている。
【００２４】
外背板１３ａには、高さ方向の中間下部にミシン目状の切目線で区画された舌片状の切取部１６が設けられ、その上端縁に臨んで正方形状の押込穴１７が穿設されている。内背板１３ｂには、外背板１３ａと重なり合った状態で外背板１３ａの押込穴１７と一致する位置に押込穴１７が穿設されている。
【００２５】
一対の側壁１２には、奥行となる方向の中間下部に縦向きスリット状の差込穴１８が設けられ、差込穴１８の上部及び下部は、それぞれ後側となる方向へ折れ曲がっている。
【００２６】
一方の側壁１２と外背板１３ａの境界、他方の側壁１２と継代片１４の境界及び外背板１３ａの開放側縁には、ＰＯＰパネル３を取り付けるため、高さ方向に間隔をあけて２か所にスロット状の係合溝１９が設けられている。
【００２７】
（連結部材のブランク）
連結部材２のブランクでは、トレイ１の段数に応じて、上下方向に連続的に延びるように、背枠板２１の両側に側枠板２２が連設されている。
【００２８】
背枠板２１には、各段のトレイ１の取付位置に対応して、ミシン目状の切目線で区画された切開部２３が設けられている。切開部２３は、高さ方向の中間部の幅が広くなっており、切開部２３の下端は、ヒンジとして機能する折目線となっている。切開部２３の上端には、ヒンジとなる折目線を介して正方形状の押込片２４が連設されている。
【００２９】
側枠板２２は、各段のトレイ１の側壁１２に沿う部分が背枠板２１から山形状に長く迫り出し、その頂部に差込片２５が設けられている。差込片２５は、先端側から基部側へかけて幅が漸次広くなり、根元は括れている。差込片２５の最大幅は、トレイ１の差込穴１８の長さ寸法よりも大きくなっている。
【００３０】
背枠板２１の上端には、重合板２１ａが連設され、背枠板２１の上部に対応した形状とされている。背枠板２１の上部と重合板２１ａには、これらが重なり合った状態で一致する紐穴２６が穿設されている。
【００３１】
（ＰＯＰパネルのブランク）
ＰＯＰパネル３のブランクでは、上下方向に延びるように、前面板３１ａの上端に重合板３１ｂが連設され、重合板３１ｂは前面板３１ａよりも短くなっている。前面板３１ａの両側縁には、トレイ１の係合溝１９に係合可能な係合突起３２が突設されている。
【００３２】
＜ブランクからの組み立て＞
（トレイの組み立て）
トレイ１をブランクから組み立てるには、外前板１１ａ、一対の側壁１２及びと外背板１３ａを周方向に折り曲げ、継代片１４を外背板１３ａの内面の開放側縁に臨む部分に貼り付け、内背板１３ｂを外背板１３ａの内面に重ねて貼り合わせ、外背板１３ａと内背板１３ｂとで背壁１３を形成する。この状態において、外背板１３ａの切取部１６は、前方から見たとき、内背板１３ｂで覆われる。
【００３３】
次に、底フラップ１５ａと、一対の底フラップ１５ｂと、底フラップ１５ｃとを順次重なり合うように折り曲げ、底フラップ１５ｃの凸部を底フラップ１５ａの凹部に噛み合わせることにより、底面を地獄底と呼ばれる形式で閉塞する。
【００３４】
その後、内前板１１ｂを下方へ折り曲げて、外前板１１ａと内前板１１ｂとが重なり合った前壁１１を形成し、内底板１５ｄを後方へ折り曲げて、底フラップ１５ａ，１５ｂ，１５ｃの上面に内底板１５ｄが重なり合った底壁１５を形成する。
【００３５】
（連結部材の組み立て）
連結部材２をブランクから組み立てるには、背枠板２１の上部内面に重合板２１ａを重ねて貼り合わせることにより、紐穴２６の付近を補強し、背枠板２１から両側の側枠板２２を前方へ折り曲げて、側枠板２２同士を対向させる。これにより、連結部材２は、断面コ字状のチャンネル材のような構造となり、長さ方向に折れ曲がりにくいものとなる。
【００３６】
（ＰＯＰパネルのブランクの組み立て）
ＰＯＰパネル３をブランクから組み立てるには、前面板３１ａの裏面側に重合板３１ｂを折り重ねて貼り合わせる。ＰＯＰパネル３は、組立状態で最上段のトレイ１に取り付けたとき、トレイ１の背壁１３より上方へ突出し、その突出部が補強された状態となる。
【００３７】
（各構成部材の結合）
図１に示すように、３個のトレイ１をそれぞれ連結部材２に取り付けるには、背壁１３を背枠板２１の内面に沿わせると共に、側壁１２を側枠板２２の内面に沿わせ、切取部１６と切開部２３とを貼り合わせる。そして、側枠板２２を撓ませつつ、差込穴１８に差込片２５を差し込み、側枠板２２が弾力で復元すると、差込穴１８から差込片２５が抜止される。また、紐穴２６に吊紐４を挿通し、吊紐４にフック５を取り付けておく。
【００３８】
上述のように、３個のトレイ１を連結部材２に取り付けた状態において、この陳列具を小売店へ配送する際には、図５に示すように、各段のトレイ１の内前板１１ｂ及び内底板１５ｄを跳ね上げ、底フラップ１５ａ，１５ｂ，１５ｃの噛み合わせを解除し、連結部材２の背枠板２１から両側の側枠板２２を同一方向へ折り曲げることにより、偏平に折り畳むことができるので、嵩張ることがない。
【００３９】
＜商品の陳列＞
（連結陳列形態）
そして、店頭において、図１及び図２に示すように、吊下状態で商品を陳列するには、上方から吊紐４及びフック５を介し吊り下げて、各段のトレイ１に商品Ｇを載置する。このとき、最上段のトレイ１の背壁１３の内面にＰＯＰパネル３を沿わせ、係合溝１９に係合突起３２を係合させて、最上段のトレイ１からＰＯＰパネル３が上方へ突出した状態にしておくと、ＰＯＰパネル３の表示により、優れた訴求効果が得られる。
【００４０】
上記のような陳列具では、連結部材２が断面コ字状のチャンネル材のような構造となっているので、屈折強度が大きいものとなり、トレイ１の奥行が大きな仕様であっても、上方から吊り下げる連結陳列形態で商品Ｇを陳列する際、連結部材２が屈折してトレイ１が前倒れすることがなく、安定した状態で美粧性に優れた陳列ができる。
【００４１】
また、連結部材２にトレイ１より強度の大きな材料を使用する必要がなく、トレイ１のサイズや商品Ｇの重量に応じて、必要十分な強度を有する板紙や段ボールを使用でき、連結部材２へのトレイ１の取り付けにプラスチック製のビス等を使用しないので、製造コストを抑制することができる。
【００４２】
（分離陳列形態）
一方、店頭において、トレイ１を連結部材２から取り外して分離陳列形態とするには、図３に示すように、押込片２４を押込穴１７に押し込み、押込片２４に指を掛けて、切取部１６と切開部２３とが貼り合わされた状態のまま、切取部１６と切開部２３の切目線を切断して、トレイ１から切取部１６を除去し、差込穴１８から差込片２５を引き抜いて、トレイ１と連結部材２とを分離する。
【００４３】
連結部材２から取り外したトレイ１は、背壁１３が外背板１３ａと内背板１３ｂとが重なり合う二重構造となっており、連結部材２からの分離に際し、切取部１６を切り取っても、その切取跡の押込穴１７以外の部分には内背板１３ｂが存在しているので、前方から見て穴が開くことがなく、美観が維持される。
【００４４】
その後、図４に示すように、３個のトレイ１を横に並べ、中央のトレイ１の背壁１３の内面にＰＯＰパネル３を沿わせ、係合溝１９に係合突起３２を係合させて、トレイ１からＰＯＰパネル３が上方へ突出した状態としておくと、ＰＯＰパネル３の表示により、優れた訴求効果が得られる。
【００４５】
このように、上記のような陳列具では、切取部１６と切開部２３の切目線を切断し、差込穴１８から差込片２５を引き抜くだけで、トレイ１と連結部材２とを分離できるので、店頭の売り場の状況に応じて、トレイ１が連結部材２に取り付けられた状態のまま、上方から吊り下げて陳列する連結陳列形態と、トレイ１のみを適宜設置して商品を陳列する分離陳列形態とを選択でき、その変換作業を簡単に行うことができる。
【００４６】
＜その他＞
なお、上記実施形態では、トレイ１の差込穴１８が側壁１２の奥行方向の中間部に位置するものを例示したが、トレイ１に載置する商品が重い場合には、差込穴１８を側壁１２の奥行方向の前寄りに位置させ、差込片２５をトレイ１の前部で差込穴１８に差し込むようにして、下方へのモーメントに対抗できるようにするとよい。また、差込片２５を上向きに差込穴１８に差し込むようにしてもよい。
【００４７】
また、トレイ１の背壁１３が二重構造になっているものを例示したが、商品の形状や特性により、分離陳列形態とする際、切取部１６を切り取った跡に前方から見て穴が開いてもよい場合には、背壁１３を外背板１３ａのみからなる一重構造としてもよい。
【００４８】
また、トレイ１の底壁１５がいわゆる地獄底になっているものを例示したが、底壁１５は、トレイ１を偏平な折畳状態から立体化する際に自動的に展開するワンタッチ底と呼ばれる形式としてもよく、小売店の店頭へ配送する際、折り畳む必要がない場合には、底壁１５を噛合によらない簡易な底形式としてもよい。
【００４９】
また、トレイ１の差込穴１８に連結部材２の差込片２５を差し込んで、トレイ１の両側部を連結部材２に係合させるものを例示したが、これとは逆に、トレイ１に設けた差込片を連結部材２に設けた差込穴に差し込んで、トレイ１の両側部を連結部材２に係合させるようにしてもよい。
【符号の説明】
【００５０】
１  トレイ
２  連結部材
３  ＰＯＰパネル
４  吊紐
５  フック
１１  前壁
１１ａ  外前板
１１ｂ  内前板
１２  側壁
１３  背壁
１３ａ  外背板
１３ｂ  内背板
１４  継代片
１５  底壁
１５ａ，１５ｂ，１５ｃ  底フラップ
１５ｄ  内底板
１６  切取部
１７  押込穴
１８  差込穴
１９  係合溝
２１  背枠板
２１ａ  重合板
２２  側枠板
２３  切開部
２４  押込片
２５  差込片
２６  紐穴
３１ａ  前面板
３１ｂ  重合板
３２  係合突起
【図１】
0003235218.tif 000003
【図２】
0003235218.tif 000004
【図３】
0003235218.tif 000005
【図４】
0003235218.tif 000006
【図５】
0003235218.tif 000007
【図６】
0003235218.tif 000008
【図７】
0003235218.tif 000009
【図８】
0003235218.tif 000010
【図９】
0003235218.tif 000011
【図１０】
0003235218.tif 000012
【手続補正書】
【提出日】令和3年10月7日(2021.10.7)
【手続補正１】
【補正対象書類名】実用新案登録請求の範囲
【補正対象項目名】請求項２
【補正方法】変更
【補正の内容】
【請求項２】
前記トレイ(1)の側壁(12)には差込穴(18)が、前記連結部材(2)の側枠板(22)には差込片(25)がそれぞれ設けられ、
前記差込穴(18)に前記差込片(25)を差し込んで、前記トレイ(1)の両側部を前記連結部材(2)に係合させることを特徴とする請求項１に記載の分離式吊下陳列具。